(57)【特許請求の範囲】
【請求項１】
複数種類の光ディスクに対して波長を異にする複数の光ビームを選択的に照射することにより情報の記録及び／又は再生を行う光ピックアップ装置において、
波長を異にする複数の光ビームを出射する光源と、
互いに異なる仕様とされ、それぞれの光軸方向が略平行となるように配置された第１及び第２の対物レンズと、
上記第１の対物レンズの光軸に略直交する平面内の第１の方向からの光ビームを反射して上記第１の対物レンズに入射させる第１の立ち上げ用光学素子と、
上記第２の対物レンズの光軸に略直交する平面内の方向であって、上記第１の方向に対して角度を有した第２の方向からの光ビームを反射して上記第２の対物レンズに入射させる第２の立ち上げ用光学素子とを備え、
上記第１及び第２の立ち上げ用光学素子のうち少なくとも一方の立ち上げ用光学素子の少なくとも一方の側面が、反射面に対して略９０度の側面を有する板状の部材の一方の側面に面取りを施したような形状に形成され、
上記一方の立ち上げ用光学素子は、上記側面が、他方の立ち上げ用光学素子の側面に対向するように配置され、
上記一方の立ち上げ用光学素子の反射面は、略矩形状の部材の上記側面が設けられた側の第１及び第２の頂点にそれぞれ対向する第３及び第４の頂点のうち少なくとも一方が面取りにより切り取られたような形状に形成され、
上記一方の立ち上げ用光学素子は、上記第３又は第４の頂点が切り取られた面取りにより形成された辺が上記光軸に直交する平面に対して平行となるように配置されている光ピックアップ装置。
【請求項２】
上記第１及び第２の立ち上げ用光学素子は、板状のミラー又は板状のミラーに面取りを施してなる部材である請求項１記載の光ピックアップ装置。
【請求項３】
上記第１及び第２の対物レンズは、トラッキング方向に並べて配置されている請求項１又は２記載の光ピックアップ装置。
【請求項４】
複数種類の光ディスクから任意に選択される光ディスクを保持して回転駆動する駆動手段と、
上記駆動手段によって回転駆動される光ディスクに対し波長を異にする複数の光ビームを選択的に照射することにより情報信号の記録及び／又は再生を行う光ピックアップ装置とを有する光ディスク装置において、
上記光ピックアップ装置は、波長を異にする複数の光ビームを出射する光源と、
互いに異なる仕様とされ、それぞれの光軸方向が略平行となるように配置された第１及び第２の対物レンズと、
上記第１の対物レンズの光軸に略直交する平面内の第１の方向からの光ビームを反射して上記第１の対物レンズに入射させる第１の立ち上げ用光学素子と、
上記第２の対物レンズの光軸に略直交する平面内の方向であって、上記第１の方向に対して角度を有した第２の方向からの光ビームを反射して上記第２の対物レンズに入射させる第２の立ち上げ用光学素子とを備え、
上記第１及び第２の立ち上げ用光学素子のうち少なくとも一方の立ち上げ用光学素子の少なくとも一方の側面が、反射面に対して略９０度の側面を有する板状の部材の一方の側面に面取りを施したような形状に形成され、
上記一方の立ち上げ用光学素子は、上記側面が、他方の立ち上げ用光学素子の側面に対向するように配置され、
上記一方の立ち上げ用光学素子の反射面は、略矩形状の部材の上記側面が設けられた側の第１及び第２の頂点にそれぞれ対向する第３及び第４の頂点のうち少なくとも一方が面取りにより切り取られたような形状に形成され、
上記一方の立ち上げ用光学素子は、上記第３又は第４の頂点が切り取られた面取りにより形成された辺が上記光軸に直交する平面に対して平行となるように配置されている光ディスク装置。
【発明の詳細な説明】
【技術分野】
【０００１】
本発明は、光ディスクに対して情報信号の記録及び／又は再生を行う光ピックアップ装置及びこれを用いた光ディスク装置に関する。
【背景技術】
【０００２】
従来、情報信号の記録媒体として、ＣＤ（Compact Disc）、ＤＶＤ(Digital Versatile Disc)等の光ディスクや、さらに高密度記録を可能とするため青紫色半導体レーザ等による波長４０５ｎｍ程度の光ビームを用いて信号の記録再生を行う光ディスク（以下、「高密度記録光ディスク」という。）が用いられ、この種の光ディスクに情報信号の記録を行い、あるいは光ディスクに記録された情報信号の再生を行うために光ピックアップ装置が用いられている。
【０００３】
このような光ピックアップ装置において、これらの複数種類の光ディスクに対して互換性を有する光ピックアップ装置が望まれており、使用波長や保護基板の厚さの異なるフォーマットとされた光ディスクに対して互換性を有するために、複数の異なる波長の光ビームを用いるとともに複数の対物レンズを有する光ピックアップ装置がある。
【０００４】
複数の対物レンズを有する光ピックアップ装置は、固定部と、可動部とからなる対物レンズ駆動装置を備え、この対物レンズ駆動装置の可動部であるレンズホルダに、例えば、２個の対物レンズがタンジェンシャル方向又はラジアル方向に並べて配置されている。そして、この光ピックアップ装置は、光ディスクのフォーマット、種類に応じて対物レンズが使い分けられている。
【０００５】
そして、かかる光ピックアップ装置においては、各対物レンズに対応した波長の光ビームを各対物レンズに導く光学系を設けることとなり、一般的には、対物レンズの光軸に直交する平面内で導光された光ビームを各対物レンズに対応する立ち上げミラーにより各対物レンズ側に反射して立ち上げて各対物レンズにより光ディスクに集光することとなる。
【０００６】
ところで、このような光ピックアップ装置において、各対物レンズ間の距離を小さくすることが、可動部及び装置全体の小型化、軽量化の観点から望まれる。そして、各対物レンズ間の距離を小さくするためには、これに対応した各立ち上げミラーの距離を小さくすることが必要とされる。例えば、対物レンズ及び立ち上げミラーを各２個設け、各立ち上げミラーまでの各光路が平面内において角度を有さない場合、すなわち、同一方向又は反対方向から立ち上げミラーに入射する場合には、対物レンズの開口に合わせた有効領域の極限まで立ち上げミラーの大きさを小さくするとともに、各立ち上げミラーを近接して配置することで、立ち上げミラー間の距離を小さくし、対物レンズ間の距離を小さくすることができる。
【０００７】
しかしながら、光学系の都合上や、装置全体の小型化の観点から、一方の立ち上げミラーに入射する光ビームの光路と、他方の立ち上げミラーに入射する光ビームの光路とが角度を有する場合があり、このような場合には、立ち上げミラーの厚みの分だけ各立ち上げミラー間の距離が大きくなってしまい、これにより対物レンズ間の距離が大きくなるとともに、可動部としてのレンズホルダが大型化してしまうといった問題が発生するおそれがあった。
【０００８】
【特許文献１】特開２００６−４５４７号公報
【発明の開示】
【発明が解決しようとする課題】
【０００９】
本発明の目的は、複数の対物レンズとそれぞれの対物レンズに光ビームを入射させる立ち上げ用光学素子を有する光ピックアップ装置における、各対物レンズ間の距離及び各立ち上げ用光学素子間の距離を小さくでき、対物レンズを保持するレンズホルダの小型化を実現する光ピックアップ装置及びこれを用いた光ディスク装置を提供することにある。
【課題を解決するための手段】
【００１０】
この目的を達成するため、本発明に係る光ピックアップ装置は、複数種類の光ディスクに対して波長を異にする複数の光ビームを選択的に照射することにより情報の記録及び／又は再生を行う光ピックアップ装置において、波長を異にする複数の光ビームを出射する光源と、互いに異なる仕様とされ、それぞれの光軸方向が略平行となるように配置された第１及び第２の対物レンズと、上記第１の対物レンズの光軸に略直交する平面内の第１の方向からの光ビームを反射して上記第１の対物レンズに入射させる第１の立ち上げ用光学素子と、上記第２の対物レンズの光軸に略直交する平面内の方向であって、上記第１の方向に対して角度を有した第２の方向からの光ビームを反射して上記第２の対物レンズに入射させる第２の立ち上げ用光学素子とを備え、上記第１及び第２の立ち上げ用光学素子のうち少なくとも一方の立ち上げ用光学素子の少なくとも一方の側面が、反射面に対して略９０度の側面を有する板状の部材の一方の側面に面取りを施したような形状に形成され、上記一方の立ち上げ用光学素子は、上記側面が、他方の立ち上げ用光学素子の側面に対向するように配置され、上記一方の立ち上げ用光学素子の反射面は、略矩形状の部材の上記側面が設けられた側の第１及び第２の頂点にそれぞれ対向する第３及び第４の頂点のうち少なくとも一方が面取りにより切り取られたような形状に形成され、上記一方の立ち上げ用光学素子は、上記第３又は第４の頂点が切り取られた面取りにより形成された辺が上記光軸に直交する平面に対して平行となるように配置されている。
【００１１】
また、本発明に係る光ディスク装置は、複数種類の光ディスクから任意に選択される光ディスクを保持して回転駆動する駆動手段と、上記駆動手段によって回転駆動される光ディスクに対し波長を異にする複数の光ビームを選択的に照射することにより情報信号の記録及び／又は再生を行う光ピックアップ装置とを有する光ディスク装置において、上記光ピックアップ装置は、波長を異にする複数の光ビームを出射する光源と、互いに異なる仕様とされ、それぞれの光軸方向が略平行となるように配置された第１及び第２の対物レンズと、上記第１の対物レンズの光軸に略直交する平面内の第１の方向からの光ビームを反射して上記第１の対物レンズに入射させる第１の立ち上げ用光学素子と、上記第２の対物レンズの光軸に略直交する平面内の方向であって、上記第１の方向に対して角度を有した第２の方向からの光ビームを反射して上記第２の対物レンズに入射させる第２の立ち上げ用光学素子とを備え、上記第１及び第２の立ち上げ用光学素子のうち少なくとも一方の立ち上げ用光学素子の少なくとも一方の側面が、反射面に対して略９０度の側面を有する板状の部材の一方の側面に面取りを施したような形状に形成され、上記一方の立ち上げ用光学素子は、上記側面が、他方の立ち上げ用光学素子の側面に対向するように配置され、上記一方の立ち上げ用光学素子の反射面は、略矩形状の部材の上記側面が設けられた側の第１及び第２の頂点にそれぞれ対向する第３及び第４の頂点のうち少なくとも一方が面取りにより切り取られたような形状に形成され、上記一方の立ち上げ用光学素子は、上記第３又は第４の頂点が切り取られた面取りにより形成された辺が上記光軸に直交する平面に対して平行となるように配置されている。
【発明の効果】
【００１２】
本発明は、第１及び第２の対物レンズと、第１の対物レンズの光軸に略直交する平面内の第１の方向からの光ビームを反射して第１の対物レンズに入射させる第１の立ち上げ用光学素子と、第２の対物レンズの光軸に略直交する平面内の方向であって、第１の方向に対して角度を有した第２の方向からの光ビームを反射して第２の対物レンズに入射させる第２の立ち上げ用光学素子とを備え、少なくとも一方の立ち上げ用光学素子の一方の側面が、反射面に対して９０度以下の角度となるように形成され、その側面が、他方の立ち上げ用光学素子の側面に対向するように配置されていることにより、第１及び第２の立ち上げ用光学素子の反射面を近接して配置することを可能とし、これにより、第１及び第２の対物レンズの互いの距離を小さく配置することができ、対物レンズを保持するレンズホルダの小型化を実現する。
【発明を実施するための最良の形態】
【００１３】
以下、本発明を適用した光ピックアップ装置を用いた光ディスク装置について、図面を参照して説明する。光ディスク装置１０１は、図１に示すように、光ディスク１０２に対して情報信号の記録及び／又は再生を行う記録再生装置である。
【００１４】
この光ディスク装置１０１で記録及び／又は再生を行う光ディスク１０２として、例えば、ＣＤ(Compact Disc）、ＤＶＤ（Digital Versatile Disc）、情報の追記が可能とされるＣＤ−Ｒ（Recordable）及びＤＶＤ−Ｒ（Recordable）、情報の書換えが可能とされるＣＤ−ＲＷ（ReWritable）、ＤＶＤ−ＲＷ（ReWritable）、ＤＶＤ＋ＲＷ（ReWritable）等の光ディスクや、さらに発光波長が短い４０５ｎｍ程度（青紫色）の半導体レーザを用いた高密度記録が可能な光ディスクや、光磁気ディスク等が用いられる。
【００１５】
光ディスク装置１０１は、図１に示すように、光ディスク１０２を回転駆動する駆動手段としてのスピンドルモータ１０３と、光ピックアップ装置１と、光ピックアップ装置１をその半径方向に移動させる駆動手段としての送りモータ１０５とを備えている。ここで、スピンドルモータ１０３は、システムコントローラ１０７及び制御回路部１０９により所定の回転数で駆動するように制御されている。
【００１６】
信号変復調器及びＥＣＣブロック１０８は、信号処理部１２０から出力される信号の変調、復調及びＥＣＣ（エラー訂正符号）の付加を行う。光ピックアップ装置１は、システムコントローラ１０７及び制御回路部１０９からの指令に従って回転する光ディスク１０２の信号記録面に対して光ビームを照射する。このような光ビームの照射により光ディスク１０２に対する情報信号の記録が行われ、光ディスク１０２に記録された情報信号の再生が行われる。
【００１７】
また、光ピックアップ装置１は、光ディスク１０２の信号記録面から反射される反射光ビームに基づいて、後述するような各種の光ビームを検出し、各光ビームから得られる検出信号を信号処理部１２０に供給するように構成されている。
【００１８】
信号処理部１２０は、各光ビームを検出して得られる検出信号に基づいて各種のサーボ用信号、すなわち、フォーカスエラー信号、トラッキングエラー信号を生成し、さらに、光ディスクに記録された情報信号であるＲＦ信号を生成する。また、再生対象とされる記録媒体の種類に応じて、制御回路部１０９、信号変調器及びＥＣＣブロック１０８等により、これらの信号に基づく復調及び誤り訂正処理等の所定の処理が行われる。
【００１９】
ここで、信号変調器及びＥＣＣブロック１０８により復調された記録信号が、例えばコンピュータのデータストレージ用であれば、インタフェース１１１を介して外部コンピュータ１３０等に送出される。これにより、外部コンピュータ１３０等は光ディスク１０２に記録された信号を再生信号として受け取ることができるように構成されている。
【００２０】
また、信号変調器及びＥＣＣブロック１０８により復調された記録信号がオーディオ・ビジュアル用であれば、Ｄ／Ａ、Ａ／Ｄ変換器１１２のＤ／Ａ変換部でデジタル／アナログ変換され、オーディオ・ビジュアル処理部１１３に供給される。そして、このオーディオ・ビジュアル処理部１１３でオーディオ・ビデオ信号処理が行われ、オーディオ・ビジュアル信号入出力部１１４を介して外部の撮像・映写機器に伝送される。
【００２１】
光ピックアップ装置１には、送りモータ１０５が接続されている。光ピックアップ装置１は、送りモータ１０５の回転によって光ディスク１０２の径方向に送り操作され、光ディスク１０２上の所定の記録トラックまで移動される。スピンドルモータ１０３の制御と、送りモータ１０５の制御と、光ピックアップ装置１の対物レンズをその光軸方向のフォーカス方向及び光軸方向と直交するトラッキング方向へ移動変位させる対物レンズ駆動機構の制御は、それぞれ制御回路部１０９により行われる。
【００２２】
すなわち、制御回路部１０９は、スピンドルモータ１０３の制御を行い、フォーカスエラー信号及びトラッキングエラー信号に基づいて対物レンズ駆動機構の制御を行う。
【００２３】
また、制御回路部１０９は、信号処理部１２０から入力されるフォーカスエラー信号、トラッキングエラー信号、ＲＦ信号などに基づいて、光ピックアップ装置１に設けられたトラッキングコイル及びフォーカスコイルに供給するための駆動信号（駆動電流）をそれぞれ生成するように構成されている。
【００２４】
また、レーザ制御部１２１は、光ピックアップ装置１におけるレーザ光源を制御するものである。
【００２５】
尚、ここでフォーカス方向Ｆとは、光ピックアップ装置１の対物レンズ２３，２４の光軸方向をいい、タンジェンシャル方向Ｔｚとはフォーカス方向Ｆと直交する方向であって光ディスク装置１０１の円周のタンジェンシャル方向Ｔｚと平行する方向をいい、トラッキング方向Ｔとはフォーカス方向Ｆ及びタンジェンシャルＴｚ方向と直交する方向をいう。
【００２６】
次に、本発明が適用された光ピックアップ装置１について詳細に説明する。
【００２７】
光ピックアップ装置１は、波長を異にする複数種類の光ビームを選択的に用いて情報信号の記録又は再生が行われる複数種類の光ディスク１０２に対して、情報信号の記録及び／又は再生を行う光ディスク装置に用いられるものであり、具体的には、波長４００〜４１０ｎｍ程度の第１の波長の光ビームを用いて情報信号の記録又は再生が行われる第１の光ディスクと、波長６５０〜６６０ｎｍ程度の第２の波長の光ビームを用いて情報信号の記録又は再生が行われる第２の光ディスクと、波長７６０〜８００ｎｍ程度の第３の波長の光ビームを用いて情報信号の記録又は再生が行われる第３の光ディスクとに対して情報信号の記録及び／又は再生を行うものとして説明する。
【００２８】
尚、以下では、光ピックアップ装置１を異なる３種類の光ディスクに対して、情報信号の記録及び／又は再生を行うものとして説明するが、これに限られるものではなく、異なる複数種類又は１種類の光ディスクに対して情報信号の記録及び／又は再生を行うものであってもよい。
【００２９】
本発明が適用された光ピックアップ装置１は、上述した異なる波長の複数種類の光ビームを出射する半導体レーザ等からなる第１及び第２の光源２１，２２と、光ディスク１０２の信号記録面から反射される反射光ビームを検出する光検出素子としてのフォトダイオードと、第１及び第２の光源２１，２２からの光ビームを光ディスク１０２に導くとともに、光ディスク１０２で反射した光ビームを光検出素子に導く光学系とを有している。
【００３０】
ここで、第１の光源２１は、第１の波長の光ビームを出射させる出射部を有しており、第２の光源２２は、第２の波長の光ビームを出射させる出射部と、第３の波長の光ビームを出射させる出射部とを有している。
【００３１】
この光ピックアップ装置１は、図２に示すように、光ディスク装置１０１の筐体内で光ディスク１０２の半径方向Ｒ（以下、「ラジアル方向」ともいう。）に移動可能に設けられた各種構成部品の取り付け基台２０上に設けられている。尚、図２及び後述の図３、図６中矢印ＲＩは、ラジアル方向のうち内周側に向けた方向を示し、矢印ＲＯは、ラジアル方向のうち外周側に向けた方向を示すものである。
【００３２】
また、光ピックアップ装置１は、図３に示すように光源から出射された光ビームを集光して光ディスクに照射する複数の対物レンズ２３，２４を支持するレンズホルダ１２と、レンズホルダ１２からタンジェンシャル方向Ｔｚに間隔をおいて配置され取り付け基台２０に取り付けられた支持体１３と、支持体１３に対してレンズホルダ１２をフォーカス方向Ｆ及びトラッキング方向Ｔに移動可能に支持する複数の支持アーム１４とを備える。このレンズホルダ１２、支持体１３及び支持アーム１４は、後述の各コイル５１，５２及びマグネットとともに、後述のように対物レンズ２３，２４をフォーカス方向Ｆ及びトラッキング方向Ｔに駆動する対物レンズ駆動機構として機能する。また、この第１及び第２の対物レンズ２３，２４は、光ピックアップ装置１の光学系の一部を構成している。この第１の対物レンズ２３は、例えば、ガラスにより形成され、第２の対物レンズ２４は、例えば、合成樹脂により形成されているものとして説明するが、これに限られるものではなく第１及び第２の対物レンズ２３，２４が、ガラス又は合成樹脂により形成されていればよい。また、第１及び第２の対物レンズ２３，２４は、その光軸が略平行となるように配置されている。
【００３３】
尚、光ピックアップ装置１では、ラジアル方向Ｒ（トラッキング方向Ｔ）に並んで配置される複数の対物レンズ２３，２４を備えるように構成したが、対物レンズの数及び配置はこれに限られるものではなく、例えば複数の対物レンズをタンジェンシャル方向Ｔｚに配置するように構成してもよい。
【００３４】
第１及び第２の光源２１，２２から出射された光ビームを光ディスク１０２に導く光学系としては、図４に示すように、第１の光源２１から出射された光ビームを第１の対物レンズ２３を介して第１の光ディスクである光ディスク１０２に導く第１の光学系１８と、第２の光源２２から出射された光ビームを第２の対物レンズ２４を介して第２又は第３の光ディスクである光ディスク１０２に導く第２の光学系１９とが設けられている。
【００３５】
第１の光学系１８は、少なくとも、第１の光源２１から出射された第１の波長の光ビームを回折して少なくとも３ビームに分割する第１のグレーティング２５と、第１のグレーティング２５で回折された光ビームの発散角を変換して略平行光とする第１のコリメータレンズ２６と、第１のコリメータレンズ２６で略平行光とされた光ビームを反射して第１の対物レンズ２３及び光ディスク１０２側に導く第１の立ち上げミラー３１と、第１の立ち上げミラー３１から出射された光ビームを光ディスクの信号記録面に集光する上述した第１の対物レンズ２３とを有する。また、第１の光学系１８は、第１のグレーティング２５と第１のコリメータレンズ２６との間に設けられ、第１の対物レンズ２３により集光され光ディスクで反射された戻りの光ビームの光路を、第１の光源２１から出射された往路の光ビームの光路から分離する偏光ビームスプリッタ２８と、偏光ビームスプリッタ２８で分離された戻りの光ビームを受光して検出する第１の光検出器２９と、偏光ビームスプリッタ２８と第１の光検出器２９との間に設けられ、偏光ビームスプリッタ２８で分離された戻りの光ビームを第１の光検出器２９の受光面に集光させるマルチレンズ３０とを有する。
【００３６】
また、第２の光学系１９は、少なくとも、第２の光源２２から出射された第２及び第３の波長の光ビームを回折して少なくとも３ビームに分割する第２のグレーティング３３と、第２のグレーティング３３で回折された光ビームの発散角を変換して略平行光とする第２のコリメータレンズ３４と、第２のコリメータレンズ３４で略平行光とされた光ビームを反射してフォーカス方向Ｆに略直交する面内において光ビームの光路を変更する折り曲げミラー３５と、折り曲げミラー３５から出射された光ビームを反射して第２の対物レンズ２４及び光ディスク１０２側に導く第２の立ち上げミラー３２と、第２の立ち上げミラー３２から出射された光ビームを光ディスクの信号記録面に集光する上述した第２の対物レンズ２４とを有する。また、第２の光学系１９は、第２のグレーティング３３と第２のコリメータレンズ３４との間の光路上に設けられ、第２の対物レンズ２４により集光され光ディスクで反射された戻りの光ビームの光路を、第２の光源２２から出射された往路の光ビームの光路から分離するビームスプリッタ３６と、ビームスプリッタ３６で分離された戻りの光ビームを受光して検出する第２の光検出器３７とを有する。
【００３７】
ところで、上述した第１の光学系１８において、第１の立ち上げミラー３１は、図４、図５及び図６に示すように、第１の対物レンズ２３の光軸に略直交する平面内の第１の方向Ｄ１からの光ビームを反射して第１の対物レンズ２３に入射させる第１の立ち上げ用光学素子として機能する。すなわち、第１の光学系１８の第１の光源２１から出射された第１の波長の光ビームは、第１のグレーティング２５、偏光ビームスプリッタ２８及びコリメータレンズ２６を経由して第１の立ち上げミラー３１に入射するが、この光路において第１の対物レンズ２３の光軸に略直交する平面内で導光され、この平面内におけるコリメータレンズ２６からの第１の方向Ｄ１からの光ビームを反射して第１の対物レンズ２３に入射させる。第１の対物レンズ２３に入射された光ビームは、第１の光ディスクの信号記録面に集光される。
【００３８】
また、第２の光学系１９において、第２の立ち上げミラー３２は、第２の対物レンズ２４の光軸に略直交する平面内の方向であって、第１の方向Ｄ１に対して角度を有した第２の方向Ｄ２からの光ビームを反射して第２の対物レンズ２４に入射させる第２の立ち上げ用光学素子として機能する。すなわち、第２の光学系１９の第２の光源２２から出射された第２又は第３の波長の光ビームは、第２のグレーティング３３、ビームスプリッタ３６、第２のコリメータレンズ３４及び折り曲げミラー３５を経由して第２の立ち上げミラー３２に入射するが、この光路において第２の対物レンズ２４の光軸に略直交する平面内で導光され、この平面内における折り曲げミラー３５からの第２の方向Ｄ２からの光ビームを反射して第２の対物レンズ２４に入射させる。第２の対物レンズ２４に入射された光ビームは、第２又は第３の光ディスクの信号記録面に集光される。
【００３９】
ここで、第１の立ち上げミラー３１に入射する光ビームの方向である第１の方向Ｄ１と、第２の立ち上げミラー３２に入射する光ビームの方向である第２の方向Ｄ２とが所定の角度を有している理由について説明する。この第１の方向Ｄ１と第２の方向Ｄ２とが対物レンズ２３，２４の光軸に直交する平面内において所定の角度を有しているのは、様々な理由があるが、その特徴的な理由として、まず、第１の理由としては、小型化の観点から同じ方向（反対方向を含めて）から入射させることは、その光学部品の配置の制約が大きく、光ピックアップ装置１の小型化のためには、第１の方向Ｄ１と第２の方向Ｄ２とが所定の角度を有して配置できる方が有利である。そして、第２の理由としては、この光ピックアップ装置１の第２の光学系１９には、フォーカスエラー信号を検出するためにマルチレンズを設けることなく平行平板のビームスプリッタ３６により非点収差を得ている構成としているとともに、トラッキングエラー信号をＤＰＤ法により得ている構成としているからである。この実施の形態のような第２の光学系１９にマルチレンズを設けない構成のためには、ビームスプリッタ３６に上述の平面内において、斜めに光ビームを入射させる必要があるからであり、換言すると、第１の方向Ｄ１と第２の方向Ｄ２とが所定の角度を有して配置できることにより、マルチレンズを設けない構成として構成の簡素化を図ることや光学部品の配置の自由度を増やすことを可能とするからである。上述の光ピックアップ装置１においては、上述の第１及び第２の理由から、対物レンズの光軸に略直交する平面内において第１の方向Ｄ１と、第２の方向Ｄ２とは、約３５°の角度を有するように各光学部品が配置されている。
【００４０】
そして、第１及び第２の立ち上げミラー３１，３２のうち少なくとも一方の立ち上げミラーの少なくとも一方の側面が、反射面に対して９０度以下の角度となるように形成されている。すなわち、第２の立ち上げミラー３２は、図７（ａ）、図７（ｂ）及び図７（ｄ）に示すように、その第１の立ち上げミラー３１と対向する側面３２ｂが、反射面３２ａに対して９０度以下の角度θ１となるように形成されている。
【００４１】
この第２の立ち上げミラー３２は、例えば、図７（ｄ）に示すように、反射面３２ａに対して略９０度の側面を有する板状のミラー部材の一方の側面に面取りＣ１（Ｃカット）を施したような形状に形成されている。
【００４２】
これに対し、第１の立ち上げミラー３１は、図８（ａ）、図８（ｂ）及び図８（ｃ）に示すように、反射面３１ａに対して略９０度の側面を有する板状のミラー部材からなる。
【００４３】
そして、第１及び第２の立ち上げミラー３１，３２は、第２の立ち上げミラー３２の反射面３２ａに対して９０度以下の角度となるように形成された側面３２ｂが、第１の立ち上げミラー３１の側面３１ｂに対向するように配置されている。このとき、第１及び第２の立ち上げミラー３１，３２は、図５及び図６に示すように、それぞれ、取り付け基台２０に一体に設けられた立ち上げミラー用の位置規制部２０ａ、２０ｂ及び位置規制部２０ｃ、２０ｄにより、上述のような状態に位置規制されて固定される。
【００４４】
以上のように構成された第１及び第２の立ち上げミラー３１，３２は、第１の立ち上げミラー３１が、第１の方向Ｄ１からの光ビームを反射して第１の対物レンズ２３に入射させるように構成され、第２の立ち上げミラー３２が、第１の方向Ｄ１に対して角度を有した第２の方向Ｄ２からの光ビームを反射して第２の対物レンズ２４に入射させるように構成されていた場合にも、その一方の立ち上げミラー３２の側面３２ｂが、反射面３２ａに対して９０度以下の角度となるように形成され、その側面３２ｂが、他方の立ち上げミラー３１の側面３１ｂに対向するように配置されていることにより、各立ち上げミラー３１，３２自体及び各反射面３１ａ，３２ａを互いに近接して配置することを可能とし、これにより、両立ち上げミラー３１，３２で反射された光ビームを略平行な状態にしてそれぞれに対応する第１及び第２の対物レンズ２３，２４に入射させ、すなわち、光軸が略平行な状態で配置された第１及び第２の対物レンズ２３，２４に入射させるとともに、この第１及び第２の対物レンズ２３，２４を近接して配置することを可能とし、この第１及び第２の対物レンズ２３，２４を保持するレンズホルダ１２の小型化、さらには、アクチュエータ（対物レンズ駆動機構）として小型化することを可能とする。これにより、アクチュエータが大型化してしまう場合の問題点として応答特性が悪化してしまうこと等も防止する。
【００４５】
また、本発明を適用した光ピックアップ装置１のようにラジアル方向（トラッキング方向Ｔ）に対物レンズ２３，２４が並べられて配置されている場合には、いずれの対物レンズ２３，２４に対して光ディスクの内周側及び外周側に追従させる必要があり、各対物レンズ２３，２４間の距離が大きくなってしまうことにより、レンズホルダ１２の移動量が大きいこととなってしまうのに加えて、対物レンズ２３，２４間の距離が増大しすぎた場合には、光ディスクの内周側に対向したときにラジアル方向の内周側に設けられた対物レンズによる記録再生が不可能となってしまう場合があるという問題があるが、上述のような第１及び第２の立ち上げミラー３１，３２は、各対物レンズ２３，２４間の距離を小さくすることができるので、このような問題を解消することができる。
【００４６】
また、第２の立ち上げミラー３２は、図７（ａ）、図７（ｃ）、図７（ｄ）及び図７（ｅ）に示すように、その反射面３２ａが、略矩形状の部材の側面３２ｂが設けられた側の第１及び第２の頂点３２ｃ，３２ｄにそれぞれ対向する第３及び第４の頂点３２ｅ，３２ｆのうち少なくとも一方が面取りにより切り取られた形状に形成され、この面取りにより形成された辺が光軸に直交する平面に対して平行となるように配置されている。具体的には、第２の立ち上げミラー３２は、その反射面３２ａが矩形状の第３の頂点３２ｅが面取りＣ２により切り取られたように形成され、この面取りＣ２により形成された辺３２ｇが光軸に直交する平面に対して平行となるように配置され、すなわち、この辺３２ｇが底部となるように取り付け基台２０上に配置されている。この構成により、第２の立ち上げミラー３２は、その配置スペースを小さくすることを可能とし、光ピックアップ装置１の小型化を可能とする。
【００４７】
また、同様に、第２の立ち上げミラー３２の反射面３２ａは、その反射面３２ａが矩形状の第４の頂点３２ｆが面取りＣ３により切り取られたように形成されている。この構成により、第２の立ち上げミラー３２は、その配置スペースを小さくすることを可能とし、すなわち、上述した辺３２ｇを底部とした場合の上端にあたる部分を面取りすることにより、その配置スペースの対物レンズの光軸方向の大きさを小さくすることを可能として、光ピックアップ装置１の小型化を可能とする。
【００４８】
このように、第２の立ち上げミラー３２は、光軸が略平行となるように配置された複数の対物レンズ２３，２４の光軸に略直交する平面内の所定の角度を有する第１及び第２の方向Ｄ１，Ｄ２からの光ビームをそれぞれ反射して、複数の対物レンズ２３，２４に入射させる一対の立ち上げ用光学素子の一方を構成するものであり、他方の立ち上げ用光学素子として上述の第１の立ち上げミラー３１のように簡易な構成で安価な平板状のミラーを用いることを可能とするとともに、第２の立ち上げミラー３２自体についても平板状のミラーに面取りＣ１を施すのみで、上述のような各対物レンズ２３，２４間の距離を小さくすることを可能とするとともに、さらに面取りＣ２，Ｃ３を施すだけで、配置スペースを小さくすることをも可能として、すなわち、簡易な構成で光ピックアップ装置の構成の簡素化及び小型化を実現するものである。
【００４９】
尚、本発明を適用した光ピックアップ装置を構成する第１及び第２の立ち上げ用光学素子として、上述では、平板状のミラーに面取りを施すようにして形成したが、これに限られるものではなく、上述のように互いに近接して配置できるような形状となるように構成されていればよく、また、ミラーに限られるものではなく、プリズム等によって構成してもよい。ここで、上述のようにミラーに面取りを施すことにより形成することで、簡単、簡易且つ製作工程上及びコスト的に有利な構成とすることができる。
【００５０】
また、本発明を適用した光ピックアップ装置を構成する第１及び第２の立ち上げ用光学素子として、第２の立ち上げミラー３２の側面が、反射面に対して９０度以下の角度となるように形成されるよう構成したが、これに限られるものではなく、第１の立ち上げミラー３１の側面が、反射面に対して９０度以下の角度となるように形成されるように構成してもよく、また、第１及び第２の立ち上げミラー３１，３２の対向する側面が、互いの距離を近接して配置できるような反射面に対して略９０度の状態から傾斜された側面を有するように構成してもよい。
【００５１】
ところで、上述した対物レンズ２３，２４が保持されたレンズホルダ１２には、光ディスクの略半径方向であるトラッキング方向Ｔに駆動力を発生させるトラッキングコイル５１と、光ディスクに近接及び離間する方向であるフォーカス方向Ｆに駆動力を発生させるフォーカスコイル５２とが取り付けられている。取り付け基台２０には、このトラッキングコイル５１及びフォーカスコイル５２に対向するように配置され、このトラッキングコイル５１及びフォーカスコイル５２に所定の磁界を与える図示しないマグネットが設けられている。
【００５２】
そして、このトラッキングコイル５１及びフォーカスコイル５２に駆動用の電流が供給されると、各コイルに供給された電流と、マグネットからの磁界との相互作用によって、レンズホルダ１２をトラッキング方向Ｔ及びフォーカス方向Ｆに駆動変位させる。
【００５３】
その結果、レンズホルダ１２に支持された第１及び第２の対物レンズ２３，２４が、フォーカス方向Ｆ及び／又はトラッキング方向Ｔに駆動変位され、第１及び第２の対物レンズ２３，２４を介して光ディスクに照射される光ビームが光ディスクの信号記録面に合焦するように制御されるフォーカス制御が行われ、光ビームが光ディスクに形成された記録トラックを追従するように制御されるトラッキング制御が行われる。尚、ここでは、トラッキングコイル及びフォーカスコイル並びにこれに磁界を与えるマグネットについて説明したが、例えば、タンジェンシャル方向Ｔｚの軸回り方向である所謂ラジアルチルト方向や、トラッキング方向Ｔの軸回り方向である所謂タンジェンシャルチルト方向に、レンズホルダ及びこれに保持された対物レンズを傾斜させるためのチルトコイル及びチルトコイル用のマグネットを設けるように構成し、各種チルト制御を行うように構成してもよい。
【００５４】
以上のように構成された光ピックアップ装置１は、装着された光ディスクの種類に応じて、第１及び第２の光源２１，２２に設けられた出射部から第１乃至第３の波長の光ビームのうち光ディスクの種類に対応した波長の光ビームを出射させ、第１及び第２の対物レンズ２３，２４のうち光ディスクの種類に対応した対物レンズを介して照射される光ビームが所定の記録トラックに合焦して追従するようにフォーカス制御及びトラッキング制御を行うことにより、光ディスクに対して情報信号の記録又は再生を行うことができる。そして、この光ピックアップ装置１は、複数の対物レンズ２３，２４とそれぞれの対物レンズ２３，２４に光ビームを入射させる立ち上げミラー３１，３２を有し、複数種類の光ディスクに対して波長を異にする複数の光ビームを選択的に照射することにより情報の記録及び／又は再生を行う光ピックアップ装置における、各対物レンズ２３，２４間の距離及び各立ち上げミラー３１，３２間の距離を小さくでき、対物レンズ２３，２４を保持するレンズホルダの小型化を実現することができる。
【００５５】
本発明が適用された光ピックアップ装置１は、波長を異にする複数の光ビームを出射する光源２１，２２と、互いに異なる仕様とされ、それぞれの光軸方向が略平行となるように配置された第１及び第２の対物レンズ２３，２４と、第１の対物レンズ２３の光軸に略直交する平面内の第１の方向Ｄ１からの光ビームを反射して第１の対物レンズ２３に入射させる第１の立ち上げ用光学素子として第１の立ち上げミラー３１と、第２の対物レンズ２４の光軸に略直交する平面内の方向であって、第１の方向Ｄ１に対して角度を有した第２の方向Ｄ２からの光ビームを反射して第２の対物レンズ２４に入射させる第２の立ち上げ用光学素子として第２の立ち上げミラー３２とを備え、第１及び第２の立ち上げミラー３１，３２のうち少なくとも一方の立ち上げミラー３２の少なくとも一方の側面３２ｂが、反射面３２ａに対して９０度以下の角度となるように形成され、立ち上げミラー３２が、その側面３２ｂが、立ち上げミラー３１の側面３１ｂに対向するように配置されていること、すなわち、第１及び第２の立ち上げミラー３１，３２の反射面３１ａ，３２ａを近接して配置することを可能とし、これにより、第１及び第２の対物レンズ２３，２４の互いの距離を小さく配置することができ、対物レンズ２３，２４を保持するレンズホルダ１２の小型化を実現する。
【００５６】
すなわち、本発明が適用された光ピックアップ装置１は、所定の平面内（対物レンズの光軸に直交する平面内）で所定の角度を有した方向Ｄ１，Ｄ２から入射された光ビームを反射させ、互いにその光軸を略平行とする対物レンズ２３，２４に入射させる第１及び第２の立ち上げミラー３１，３２の対向する側面のうち何れか一方の側面３２ｂをその反射面３２ａに対して所定の角度となるように形成することにより、第１及び第２の立ち上げミラー３１，３２自体及び反射面３１ａ，３２ａを近接して配置して、これにより各対物レンズ２３，２４を近接して配置することを可能として、レンズホルダ１２、対物レンズ駆動機構及び光ピックアップ装置全体の小型化を実現するとともに、レンズホルダが大型化したときの問題点である応答特性の低下や記録再生の不能等の問題を解消することができる。
【００５７】
また、本発明が適用される光ディスク装置１０１は、複数種類の光ディスクから任意に選択される光ディスクを保持して回転駆動する駆動手段と、駆動手段によって回転駆動される光ディスクに対し波長を異にする複数の光ビームを選択的に照射することにより情報信号の記録及び／又は再生を行う光ピックアップ装置を有し、この光ピックアップ装置として上述した光ピックアップ装置１を用いることにより、装置の簡素化及び小型化を実現するとともに、応答特性の低下や記録再生の不能等の問題を防止して、良好な記録再生特性を実現する。
【図面の簡単な説明】
【００５８】
【図１】本発明を適用した光ディスク装置の概略構成を示すブロック回路図である。
【図２】本発明を適用した光ピックアップ装置の斜視図である。
【図３】本発明を適用した光ピックアップ装置を構成する対物レンズを保持するレンズホルダと、これを支持する支持体とを示す平面図である。
【図４】本発明を適用した光ピックアップ装置を構成する光学系を示す平面図である。
【図５】本発明を適用した光ピックアップ装置を構成する第１及び第２の立ち上げミラーの配置状態を示す平面図である。
【図６】本発明を適用した光ピックアップ装置を構成する第１及び第２の立ち上げミラーの配置状態を示す斜視図である。
【図７】本発明を適用した光ピックアップ装置を構成する第２の立ち上げミラーを示す図であり、（ａ）は、平面図であり、（ｂ）は、右側面図であり、（ｃ）は、左側面図であり、（ｄ）は、正面図であり、（ｅ）は、背面図である。
【図８】本発明を適用した光ピックアップ装置を構成する第１の立ち上げミラーを示す図であり、（ａ）は、平面図であり、（ｂ）は、左側面図であり、（ｃ）は、正面図である。
【符号の説明】
【００５９】
１  光ピックアップ装置、  １２  レンズホルダ、  １３  支持体、  １４  支持アーム、  ２０  取り付け基台、  ２１  第１の光源、  ２２  第２の光源、  ２３  第１の対物レンズ、  ２４  第２の対物レンズ、  ２５  第１のグレーティング、  ２６  第１のコリメータレンズ、  ２８  偏光ビームスプリッタ、  ２９  第１の光検出器、  ３０  マルチレンズ、  ３１  第１の立ち上げミラー、  ３２  第２の立ち上げミラー、  ３３  第２のグレーティング、  ３４  第２のコリメータレンズ、  ３５  折り曲げミラー、３６  ビームスプリッタ、  ３７  第２の光検出器、  １０１  光ディスク装置、  １０２  光ディスク、  １０３  スピンドルモータ
【図１】
0004905278.tif 000002
【図２】
0004905278.tif 000003
【図３】
0004905278.tif 000004
【図４】
0004905278.tif 000005
【図５】
0004905278.tif 000006
【図６】
0004905278.tif 000007
【図７】
0004905278.tif 000008
【図８】
0004905278.tif 000009